(57)【要約】【課題】布巾やタオル等の物品保持具であって、取り付け個所に簡単に着脱移動でき、且つ引出し前板等の被取付体の厚みが異なっていても確実に取り付け可能な物品保持具を提供する。【解決手段】カウンター（２）の側周面に取り付けて使用される物品保持具（１０）であって、物品を保持する掛支部（１１）と、前記側周面の被取付体を挟持して該掛支部（１１）を取り付ける一対の取付片（２１ａ，２１ｂ）と、該取付片を覆うカバー（１３）とを備え、前記一対の取付片（２１ａ，２１ｂ）を軸体（２２）で連結し、該軸体（２２）に取り付けられたバネ（２５）で被取付体を挟持する方向に付勢している。【選択図】図２
2009213679.tif 000002
【特許請求の範囲】
【請求項１】
カウンター（２）の側周面に取り付けて使用される物品保持具（１０）であって、物品を保持する掛支部（１１）と、前記側周面の被取付体を挟持して該掛支部（１１）を取り付ける一対の取付片（２１ａ，２１ｂ）と、該取付片を覆うカバー（１３）とを備え、前記一対の取付片（２１ａ，２１ｂ）を軸体（２２）で連結し、該軸体（２２）に取り付けられたバネ（２５）で被取付体を挟持する方向に付勢していることを特徴とする物品保持具。
【請求項２】
前記一対の取付片（２１ａ，２１ｂ）のうち、カウンター（２）の周側面の内部側に配置される第２取付片（２１ｂ）は、第２起立片（２６ｂ）と第２中間片（２７ｂ）と第２垂下片（２８ｂ）とからなり、前記第２中間片（２７ｂ）の奥行方向長さは前記被取付体の厚みを超える長さであって、前記第２中間片（２７ｂ）と第２垂下片（２８ｂ）の折り曲げ角度が９０度未満の鋭角であり、前記第２垂下片（２８ｂ）は挟持空間側に突き出した湾曲形状であることを特徴とする請求項１に記載の物品保持具。
【請求項３】
前記掛支部（１１）の枢軸（１２）にスプリング（１２ａ）を設け、上側に前記掛支部（１１）を回動付勢することを特徴とする請求項１または請求項２に記載の物品保持具。
【発明の詳細な説明】
【技術分野】
【０００１】
この発明は、カウンターの側周面に取り付けて使用される、布巾やタオル等の物品保持具に関する。
【背景技術】
【０００２】
従来、キッチンカウンターや洗面カウンターに取り付けられ、布巾やタオル等を簡単に保持でき、且つ、着脱又は移動できる物品保持具として吸盤式や磁石式のものが多く提案され、また、実用化されている。しかしながら、吸盤式や磁石式は被取付部に凹凸があったり、被取付部が非磁性体であったりすると取付できず、また、物品保持具を強く引っ張るとずれたり、落下しやすい欠点があった。
そのため、使用する際に保持した布巾やタオル等の物品を強く引っ張っても物品取付具が簡単にずれ落ちることがない取付構造として、移動範囲に若干の制約はあるものの、カウンター周側面に配置されるレールや引出し等のライン取手にスライド移動可能に物品保持具を取り付けるものとして、例えば、特許文献１の掛支具を有するキッチン台等の収納家具や、特許文献２の扉への補助バーツの取付構造が紹介されている。
【０００３】
【特許文献１】特開２００６−０２６２５１号
【特許文献２】特開２００７−０６８５５７号
【発明の開示】
【発明が解決しようとする課題】
【０００４】
しかしながら、上記特許文献１や特許文献２の取付構造では、レール部の内側に係止させてレール部内をスライドさせる構造であり、レール部内形状に対応させた係止部形状とする必要があり、当該掛支具に専用のレールを必要とする問題があった。また、同様に特許文献２の取付構造も、扉の上端部の取手部材の前面側が開口した断面コ字状をした取手用溝部に、補助バーツに上方に向けて突設した嵌め込み突部の前面に係止部材を取付ける構造であるが、取手の断面コ字状形状が異なったり、正面板の厚みが異なった扉の取手には取り付けが困難であった。
【０００５】
この発明は、かかる現状に鑑み創案されたものであって、その目的とするところは、キッチンカウンター等の側周面にタオル等の物品保持具を取り付けるに際し、取付部を覆い隠して意匠性に優れるとともに、着脱移動可能で、ある程度強固に取り付けでき、且つ、被取付部の厚みが異なっていても取り付け可能な取付構造を有し、且つ、側周面の下方に取り付けた場合であっても物品をなるべく上部に位置させて使い易くすることのできる物品保持具を提供しようとするものである。
【課題を解決するための手段】
【０００６】
上記課題を解決するために、本発明の請求項１に記載の物品保持具は、カウンターの側周面に取り付けて使用される物品保持具であって、物品を保持する掛支部と、前記側周面の被取付体を挟持して該掛支部を取り付ける一対の取付片と、該取付片を覆うカバーとを備え、前記一対の取付片を軸体で連結し、該軸体に取り付けられたバネで被取付体を挟持する方向に付勢させるものである。
【０００７】
この発明にあっては、物品保持具の取付部の前面がカバーで覆われているため、キッチンカウンターの側周面からの見栄えがよく、被取付体を挟持して取り付けることができるため、板厚みのある引出し正面板、開き戸扉等の上端に簡単に着脱固定でき、使用者の使い勝手の良い位置に物品保持具を取り付けることができる。また、挟持機構による取り付けであるため、その他厚みのある突状枠部であればどこでも取り付けることが可能なため、キッチンカウンター端部の側周面や、引出し正面板側部でも取り付け可能であり、取り付け個所を任意の位置にすることができる。
【０００８】
また、本発明の請求項２に記載の物品保持具は、請求項１の発明に加えて、一対の取付片のうち、カウンターの周側面の内部側に配置される第２取付片は、第２起立片と第２中間片と第２垂下片とからなり、第２中間片の奥行方向長さは被取付体の厚みを超える長さであって、第２中間片と第２垂下片の折り曲げ角度が９０度未満の鋭角であり、第２垂下片は挟持空間側に突き出した湾曲形状である。
【０００９】
この発明にあっては、請求項１の効果に加え、第２中間片の奥行方向長さは被取付体の厚みを超える長さであるため、被取付体に取付部の起立片を掴んで起立片間を狭め、垂下片間を広げて被取付体を挟み込む場合に、奥行方向に広いため取り付け易く、また、第２中間片と垂下片が鋭角成形されているため、厚みの薄い被取付体も挟持可能であり、第２中間片の長さ未満の厚みの被取付体ならば、色んな厚みに対応して取り付けることできるため、汎用性が高い。また、第２垂下片は挟持側に突状湾曲しているため被取付部に傷が付きにくい。
【００１０】
また、本発明の請求項３に記載の物品保持具は、請求項１または請求項２の発明に加えて、掛支部の枢軸にスプリングを設け、上側に掛支部を回動付勢するものである。
この発明にあっては、請求項１または２の効果に加え、タオル等の物品を係止する掛支部が常に上側に回動付勢されているため、上方から物品を取り扱いやすく、また、掛支部が取付位置上部の側周面に常に押圧されているため、側周面から前方への突出量が少なく、キッチン等における調理者の服などを掛支部に引っ掛ける虞がなくなる。
【発明の効果】
【００１１】
以上説明したように、本発明の物品保持具は、キッチンカウンター等の側周面にタオル等の物品保持具を取り付けるに際し、取付部を覆い隠すため意匠性に優れるとともに、着脱移動可能で、ある程度強固に取り付けでき、且つ、被取付部の厚みが異なっていても取り付け可能である。更に、専用のレールや異なる取手形状であっても、所定厚みのある個所ならばどこでも簡単に取付けることができるとともに、掛支部への物品の係脱が容易であると言う効果を有する。
【発明を実施するための最良の形態】
【００１２】
本発明に係る物品保持具の最良の形態を実施例に基づいて以下説明する。
【実施例１】
【００１３】
本発明の実施例を図面に基づいて説明すると、先ず図１は、実施例１における物品保持具をキッチン台の引出し正面板に取り付けた状態を示す斜視図であり、図２は実施例１の物品保持具の側面図であり、図３は実施例１の物品保持具の部品構成図であり、図４は、本発明の物品保持具を取り付けた状態のキッチン台を示している。以下、図１の紙面左下側を物品保持具の正面側（手前側）とし、紙面右上側を後面側（奥側）として説明する。なお、キッチン台の説明では、図４の紙面左下側をキッチン台の正面側(手前側)とし、紙面右上側を後面（奥側）として説明している。
【００１４】
図４の符号１は、厨房に配置されるキッチン台１であり、このキッチン台１のカウンター２の面上には、加熱機器４、シンク５、蛇口６等が設けられるとともに、キッチン台１の側周面の一部である正面には、シンク部分を前面から隠す幕板７ａや収納部である開き戸扉３及び引出し７が設けられている。各引出しの正面側には、該引出しの収納部（図示略）をキッチン台１の本体内部から引出し自在とするための開口（図示略）を閉塞可能な正面板７や、開き戸扉３である正面板７が取り付けられており、引出しの各正面板７の上部には、正面板７の左右方向の全幅に渡って延びる取手７ｂが配置されている。この取手７ｂは、側面視で正面側が開口された略コ字形状を成している。
【００１５】
これら引出し９のうち、最上段の引出し９における正面板７の上端縁部には、物品の一例であるタオル８を保持する物品保持具１０が取り付けられている。このタオル８は、長手方向に４つ折り（２つ折り以上）に折り畳まれた状態で物品保持具１０の開口部１８に挿入させて吊下げられている。上段の引出し９における正面板７には、図１に示すように、正面板７の上端部に取手７ｂが幅方向に延設されており、使用者が該取手７ｂに手を掛けて引くことで開くことができる。
【００１６】
本実施例１の物品保持具１０は、図１乃至図３に示すように、正面板７の上端の取手７ｂを前後から挟み込んで引出し正面板上端に取り付けるための取付部２０に、タオル８を掛止可能な掛支部１１を連結し、該取付部２０や連結部材を覆うカバー１３で構成されている。掛支部１１は前記取付部２０に揺動自在に取付けるための腕部１７を両側に有し、その内側が開口部１８を形成して、その開口にタオル８を挿通できる形状としたもので合成樹脂材により成形されている。両腕部１７の内側には夫々枢軸１２が突設され、取付部２０に掛支部１１を連結するための基部１４の基部軸受孔１６に該枢軸１２を嵌入させて揺動可能に軸支させる。基部１４は鋼板や強化プラスチック材の板材で、両側に基部軸受片１５を設け、該基部軸受片１５に基部軸受孔１６を設けている。
また、両側の枢軸１２にはスプリング１２ａが嵌め込まれており、該スプリング１２ａの一方の先端は腕部１７側に係止させ、反対側の先端を基部１４の面に係止させることにより、常に掛支部１１が上側に向くように回動付勢されている（図２の矢印を参照）。
このように掛支部１１が揺動可能なため、タオル８を吊下げる場合は掛支部１１を上側から前面側に起こして、掛支部１１の開口部１８にタオル８を押込み、そして手を離すと掛支部１１は上側の正面板側に当設する位置に回転するため、キッチン台の正面側に突き出すことがない。
【００１７】
カバー１３は、ゴム又は軟質樹脂で成形され、図３に示すように、掛支部１１の連結部材である基部１４や後述の取り付け部を覆い隠し、意匠性を向上させるためのものであり、掛支部１１の両腕部１７間に配置して取付部２０に固着される。取付部２０への固着は特に限定するものではないが、カバー１３の切り欠き部１９を基部軸受孔１６に対応させて、カバー１３下端側を第１取付片２１ａの第１垂下片に貼付け固着し、カバー１３の上部は第１取付片２１ａの第１起立片２６ａを内部に覆い隠して第２取付片２１ｂの第２起立片２６ｂの裏面周囲に貼付け固着すると、外部から取付部２０が見え難く意匠性をよくすることができる。尚、当然のことながら、カバー１３は内部が空洞の軟質カバー１３であるため、物品保持具１０を正面板７に取り付けるに際し、第１取付片２１ａと第２取付片２１ｂの両起立片２６ａ，２６ｂを掴んで両起立片の隙間を狭めて、反対側の垂下片側を広げることは可能である。また、掛支部１１の基部１４と取付部２０の固着は、取付ネジ孔にビス（図示せず）等を挿通させることにより一体化される。
【００１８】
次いで、取付部２０について説明する。取付部２０は図２及び図３に示す如く、第１取付片２１ａと第２取付片２１ｂと軸体２２とバネ２５で構成され、第１取付片２１ａと第２取付片２１ｂの第２軸受孔２４ｂに軸体２２を貫通支軸させて、揺動自在に連結される。軸体２２にはバネ２５が巻きつけられており、該バネ２５により両取付片の下端側が狭まる方向に付勢されている（図２の実線を参照）。したがって、引出し９の取手７ｂ（正面板７）に物品保持具１０を取り付けるには、該引出し９を引出した後に、両取付片の上端を摘み強く握ることで下端部を広げて、取手７ｂの上端から挟み込みむことで、簡単に物品保持具１０を引出し正面板７の上端側に取り付けることができる。
【００１９】
取付部２０の第１取付片２１ａは、第１起立片２６ａ、第１中間片２７ａ、第１垂下片２８ａとよりなり、第２取付片２１ｂは第２起立片２６ｂ、第２中間片２７ｂ、第２垂下片２８ｂにより、ともに構成され、第１起立片２６ａ及び第２起立片２６ｂの両端には、夫々第１軸受片２３ａと第２軸受片２３ｂが折り曲げ成形され、夫々軸受孔を設けることで軸体２２の軸受を構成している。引出し９の正面板７に取り付けた時に引出し９の内側に配置される第２取付片２１ｂの第２垂下片２８ｂは、少なくとも弾性変化可能な板体が用いられる。物品保持具１０を引出し正面板７から外した状態での取付部２０は図２に示す如く、該第２垂下片２８ｂと第２中間片２７ｂとの成す角が９０度以下の鋭角となるように形成されており、その下端は第１取付片２１ａ側に突出した湾曲形状に形成される。このようにすることで正面板７又は取手部分の厚みが異なっている場合であっても、本発明の物品保持具１０を容易に取り付けることができる。特に第２垂下片２８ｂの下端を湾曲させているため、正面板内面を傷つけることなく、且つ適切に挟み込み物品保持具１０を取り付けることができる。
【００２０】
また、第２中間片２７ｂの奥行方向長さは前記被取付体の厚みを超える長さ、すなわち、物品保持具１０を取り付け使用するキッチン台の側周面に配置される被取付対象の正面板７の最も厚い板厚よりも若干超える長さに第２中間片２７ｂの奥行方向長さとすることで、その長さよりも薄い正面板７ならばどこにでも物品保持具１０を取り付けることができる。正面板７を挟持しない状態の第２取付片２１ｂを図２の破線で示しているが、第２中間片２７ｂと第２垂下片２８ｂが９０度以下の鋭角に成形されており、バネ２５で第１垂下片と第２垂下片２８ｂが当接する方向に付勢されているため、強力な挟持力を発生されることができ、薄い板厚の正面板７でも確実に挟持固定できる。
以上、本発明の実施例を図面により説明してきたが、具体的な構成はこれら実施例に限られるものではなく、本発明の要旨を逸脱しない範囲における変更や追加があっても本発明に含まれる。
【００２１】
例えば、前記実施例では、物品保持具１０が設けられるキッチン台１を一例として、厨房の壁面に設置されるキッチンカウンター２に適用されていたが、本発明はこれに限定されるものではなく、例えば側周面の一部（例えば背面）をダイニング側に面するように配置される対面キッチンカウンター２に本発明の物品保持具１０を設けてもよい。さらに、厨房に設置されるキッチンカウンター２に限らず、洗面所に設置される洗面カウンター２、あるいはその他の種々の目的で使用されるカウンター２やキャビネット等の什器類に本発明の物品保持具１０を設けても良い。
【００２２】
また、前記実施例では、キッチンカウンター２の側周面の一例である正面に物品保持具１０が設けられていたが、物品保持具１０の配置位置は正面に限定されるものではなく、キッチンカウンター２の上面（天板面）及び底面以外の面である左右側面や背面の所定個所に設けても良い。
【００２３】
更に、前記実施例では、引出し９の正面板７の上端縁の取手７ｂに取り付けられていたが、本発明はこれに限定されるものではなく、物品保持具１０としてのタオル８を、特に図示はしないが、天板２の直下等に引き出し自在に設けられる補助テーブル等の前端に取り付けられる正面板７や、引戸或いは開き扉３等、キッチンカウンター２の側周面に対して手前側に引き出し（開放）自在に設けられた種々の板材に取り付けてもよい。
【００２４】
また、本発明の物品保持具１０は、前記実施例に記載したようにキッチンカウンター２の側周面に対して手前側に引き出し自在に設けられた種々の板材（正面板７等）だけでなく、キッチンカウンター２の側周面に固定された幕板７等の上端縁に取り付けてもよい。
【図面の簡単な説明】
【００２５】
【図１】実施例１における物品保持具をキッチン台１の引出し正面板に取付けた状態を示す斜視図である。
【図２】実施例１の物品保持具の側面図である。
【図３】実施例１の物品保持具の部品構成図である。
【図４】本発明の物品保持具を取付た状態のキッチン台の斜視図である。
【符号の説明】
【００２６】
１  キッチン台
２  カウンター（天板）
３  開き戸扉
４  加熱機器
５  シンク
６  蛇口（水栓）
７  正面板（被取付体）
７ａ  幕板
７ｂ  取手
８  タオル
９  引出し
１０  物品保持具
１１  掛支部
１２  枢軸
１２ａ  スプリング
１３  カバー
１４  基部
１５  基部軸受片
１６  基部軸受孔
１７  腕部
１８  開口部
１９  切り欠き部
２０  取付部
２１ａ  第１取付片
２１ｂ  第２取付片
２２  軸体
２３ｂ  第２軸受片  
２４ｂ  第２軸受孔
２５  バネ
２６ｂ  第２起立片
２７ｂ  第２中間片
２８ｂ  第２垂下片
３１  取付孔
【図１】
2009213679.tif 000003
【図２】
2009213679.tif 000004
【図３】
2009213679.tif 000005
【図４】
2009213679.tif 000006